(57)【要約】【課題】  この発明は、改正建築基準法に基づいた低コストで効率の良い、屋根裏・床下・居室収納部等の換気システムを開発・提供するものである。【解決手段】  そこで、この課題を解決する為に、通風換気マルチシステム用ファン等の換気手段と、複数の分岐チャンバーと、換気手段と複数の分岐チャンバー間を接続する複数の吸気用フレキダクトと、各部換気場所と分岐チャンバー間を接続する複数の吸気用フレキダクトと換気装置の吐出口部と屋外排気口間に接続する屋外排気用フレキダクトをそれぞれ組み合せて構成した屋根裏・床下・居室収納部等の換気システムである。【選択図】  図３
2005083598.tif 000002
【特許請求の範囲】
【請求項１】
通風換気マルチシステム用ファン等の換気手段（１）と、複数の分岐チャンバー（２）と、換気手段（１）と複数の分岐チャンバー（２）間を接続する複数の吸気用フレキダクト（３）と、屋根裏・床下・居室収納部等の各部換気場所と分岐チャンバー（２）間を接続する複数の吸気用フレキダクト（４）（４'）と換気手段（１）の吐出口（１ａ）部と屋外排気口（Ｍ）間に接続する屋外排気用フレキダクト（５）をそれぞれ組み合せて構成する居室同時換気システムにおいて、該換気手段（１）は一方の一箇所に吐出口（１ａ）と他方の複数箇所に吸込口（１ｂ）を有し、且つ、該分岐チャンバー（２）は、分岐チャンバー本体の一方の一箇所に大径型接続口（２ａ）と他方に複数の小径型接続口（２ｂ）を有し、且つ、該屋根裏・床下・居室収納部等複数の箇所から吸気用フレキダクト（４）（４'）を介してそれぞれの分岐チャンバー（２）に収集され、更に吸気用フレキダクト（３）から換気手段（１）、排気用フレキダクト（５）を経由して屋外へ排気可能にした事を特徴とする屋根裏・床下・居室収納部等の同時換気システム。
【発明の詳細な説明】
【技術分野】
【０００１】
この発明は、戸建住宅や集合住宅や店舗付住宅等の屋根裏・床下・居室収納部等の同時換気システムに関するものである。
【背景技術】
【０００２】
従来技術における床下換気方法は、主に木造家屋に用いられ、コンクリート製基礎壁上に換気口を設ける基礎換気口建築方式において、フーチング等のコンクリート製基盤上に立設した布基礎とも呼ばれるコンクリート製基礎壁上に凹部を所定の箇所に形成した、鼠等の侵入を防御する格子等を装備した複数の断面が十分広い該換気口を設け、建物の木製等の土台をアンカーボルト等の固定部材を用いて該基礎壁に固定し、該基礎壁の屋内側には、べた基礎とも呼ばれる防湿コンクリート製等の基礎平面を設け、該土台上には屋外を遮断する壁を立設し、側面には床を固定し、屋内の該基礎平面上の所定の箇所に床束とも呼ぶ床受部材を立設し、該床下を支承し、該換気口の内側に換気扇を装備する事も出来る床下換気方法があった。
【０００３】
又、従来技術における床下換気方法は、主に木造家屋に用いられる基礎パッキン建築方式において、コンクリート製基礎壁上に、所定の間隔で樹脂製等の緩衝性を有する複数のパッキンを介して、建物の木製等の土台に固定部材を用いて該基礎壁に固定し、該基礎壁の屋内側には、防湿コンクリート製等の基礎平面を設け、該土台上には屋外を遮断する壁を立設し、側面には床を固定し、屋内の該基礎平面上の所定の箇所に床受部材を立設し、該床受部材上に所定の間隔で複数の該パッキンを介して該床下を支承し、該パッキンの厚みは、該基礎壁或いは該床受部材の幅よりも小さい寸法とし、隣接する該パッキンの間隙を通じて、該基礎壁の床下と屋外、そして該床受部材の床下両側は連通することとし、外気が該基礎壁上の隣接する該パッキン間隙から流入し、屋内床下においては、該床受部材上の隣接する該パッキン間隙、及び隣接する該床受部材間隙を通じて流入外気が流動し、換気が行われる床下換気方法があった。
【０００４】
又、従来技術における床下換気方法は、コンクリート製マンション等のコンクリート製建造物に用いられる基礎断熱建築方式において、フーチング等のコンクリート製基盤上に立設したコンクリート製基礎壁上に、一体化して断熱材を配したコンクリート製壁を形成し、該基礎壁の屋内側には、防湿コンクリート製等の基礎平面を設け、該基礎平面上の所定の箇所にコンクリート製床受部材を立設し、該床受部材上に一体化して断熱材を配したコンクリート製屋内側壁を形成し、各室内が床下も含めて、該壁及び屋内側壁を用いて、通路を除いて独立な断熱空間を形成し、該独立な断熱空間ごとに木製等の該床を配設し、室内から該床を透過する流動空気に依存する床下換気方法があった。（例えば、特許文献１を参照。）
【特許文献１】特開２００１−２４８２４４  上記の如く、従来技術における床下換気方法は様々な方式が用いられ改善されていたが、建築材料に使用する防腐剤や消毒剤や殺虫剤等の化学物質による弊害が多発する為、結局シックハウス対策に関わる建築基準法の改正が、今年平成１５年７月１日から施工され、換気設備の義務付けにより、ホルムアルデヒドを発散する建材を使用しない場合でも、家具からの発散がある為、原則として全ての建築物に機械換気設備が義務付けられ、屋根裏・天井裏・床下・壁内・居室にある押入れ・クローゼット等の収納スペースは、下地材をホルムアルデヒドの発散の少ない建材とするか、機械換気設備を天井裏等も換気出来る構造とする事が義務付けられた。又、上記の規制を受け、益々住宅はノンホル化しており、カビ・ダニ・シロアリ等の腐朽菌や家屋害虫が発生しやすい環境に成ってきている。
【０００５】
しかしながら、換気設備の増設をするとコストアップに繋がる為、いかに安く効率良く全ての居室を換気するかが今後の課題であった。
【発明の開示】
【発明が解決しようとする課題】
【０００６】
そこで、この発明は上記の問題を解決する為、改正建築基準法に基づいた低コストで効率の良い、屋根裏・床下・居室収納部等の同時換気システムを開発・提供するものである。
【課題を解決するための手段】
【０００７】
そこで、この課題を解決する為に、通風換気マルチシステム用ファン等の換気手段と、複数の分岐チャンバーと、換気手段と複数の分岐チャンバー間を接続する複数の吸気用フレキダクトと、各部換気場所と分岐チャンバー間を接続する複数の吸気用フレキダクトと換気装置の吐出口部と屋外排気口間に接続する屋外排気用フレキダクトをそれぞれ組み合せて構成した屋根裏・床下・居室収納部等の同時換気システムである。
【発明の効果】
【０００８】
この発明は、最小限の換気手段と複数の分岐チャンバーと、換気手段と複数の分岐チャンバー間を接続する複数の吸気用フレキダクトと、各部換気場所と分岐チャンバー間を接続する複数の吸気用フレキダクトと換気装置の吐出口部と屋外排気口間に接続する屋外排気用フレキダクトをそれぞれ組み合せて構成した屋根裏・床下・居室収納部等の換気システムにする事で、低コストで効率良く全ての居室・屋根裏・床下等が同時換気可能と成り、改正建築基準法（平成１５年７月１日改正）に適合可能である。
【０００９】
又、床下・屋根裏の強制換気により、基礎構造部の含水率を下げ、腐朽を防ぎ、家屋の害虫やカビやダニ等の繁殖条件を低下させ、アトピー等のアレルギー予防にも役立ちます。
【００１０】
又、この発明を適用する事で、居室収納部・屋根裏・床下は換気している事に成り、建材の使用規制が無くなり、指定建築材料もＦ☆☆以下の建材使用が可能となる為、カビやすく腐朽・蝕害しやすい高湿度の部分へ、ノンホル建材を使用しなくても良くなり、且つ、作業性・施工性・経済性面で有益なる効果を奏するものである。
【発明を実施するための最良の形態】
【００１１】
そこで、この発明の最良の形態としては、住宅の全ての居室に設置する換気箇所数に適合した最適な換気能力(風量)を有する換気手段を選定する事である。
【実施例１】
【００１２】
そこで、この発明の一実施例を図１〜図３に従って詳述すると、通風換気マルチシステム用ファン等の換気手段（１）と、複数の分岐チャンバー（２）と、換気手段（１）と複数の分岐チャンバー（２）間を接続する複数の吸気用フレキダクト（３）と、屋根裏・床下・居室収納部等の各部換気場所と分岐チャンバー（２）間を接続する複数の吸気用フレキダクト（４）（４’）と換気手段（１）の吐出口（１ａ）部と屋外排気口（Ｍ）間に接続する屋外排気用フレキダクト（５）をそれぞれ組み合せて構成する同時換気システムにおいて、該換気手段（１）は一方の一箇所に吐出口（１ａ）と他方の複数箇所に吸込口（１ｂ）を有し、且つ、該分岐チャンバー（２）は分岐チャンバー本体の一方の一箇所に大径型接続口（２ａ）と他方に複数の小径型接続口（２ｂ）を有し、且つ、該屋根裏・床下・居室収納部等複数の箇所から吸気用フレキダクト（４）（４’）を介してそれぞれの分岐チャンバー（２）に収集され、更に吸気用フレキダクト（３）から換気手段（１）、排気用フレキダクト（５）を経由して屋外へ排気可能にした事を特徴とする屋根裏・床下・居室収納部等の同時換気システムから構成される。
【００１３】
次に、この発明の部品構成と組立要領を、図３のシステム概要図に従って説明すると、まず、部品構成は通風換気マルチシステム用ファン(１)が１個と、分岐チャンバーが２個と、大径吸気用フレキダクト（３）が２個と、小径吸気用フレキダクト（４）（４’）が８個とで構成されているが、使用部品点数に関しては各仕様に応じて調整可能である。
【００１４】
次に、組立要領は通風換気マルチシステム用ファン（１）の吸込口（１ｂ）部２箇所に、それぞれの吸気用フレキダクト（３）の一方を接続し、反対側の片方はそれぞれの分岐チャンバー（２）の大径型接続口（２ａ）に接続する。そして、分岐チャンバー（２）の小径型接続口（２ｂ）にそれぞれの吸気用フレキダクト（４）（４’）の一方を接続し、反対側の片方は各居室の換気場所へ接続する。更に、通風換気マルチシステム用ファン（１）の吐出口（１ｂ）部に排気用フレキダクト（５）を接続し、図４に示す様に１階の床下や２階の屋根裏から屋外へ排出する。
【００１５】
通風換気マルチシステム用ファン（１）の主な仕様を説明すると、定格電圧はＡＣ１００Ｖで、定格電流が０．３８５〜０．４４０Ａで、風量は３０５〜３２０ｍ3／ｈで、吸込及び吐出口の口径はφ１００ｍｍである。
【００１６】
従って、通風換気マルチシステム用ファン（１）の吸込口（１ｂ）部と分岐チャンバー（２）の大径型接続口（２ａ）間を接続する吸気用フレキダクト（３）の内径も同様１００ｍｍで、分岐チャンバー（２）の小径吸気用フレキダクト（４）（４’）側は内径５０ｍｍで、更に屋外排気用フレキダクト（５）の内径も１００ｍｍである。
【００１７】
次に、参考の為、各間取り別の実施例を図５〜図８に示す。
【産業上の利用可能性】
【００１８】
建築基準法改正以前の従来の台所やトイレや風呂場等を中心とした、局所換気設備のみに比較し、この発明は、屋根裏・床下・居室収納部等の同時換気システムを設置する事で、新しい建築基準法に適合し、且つ、広範囲な建築市場に寄与する点で産業上の利用可能性を有する。
【図面の簡単な説明】
【００１９】
【図１】この発明の一実施例を示し、（Ａ）は通風換気マルチシステム用ファンの正面図で、（Ｂ）は底面図である。
【図２】この発明の一実施例を示し、（Ａ）は分岐チャンバーの正面図で、（Ｂ）は（Ａ）のａ−ａ矢視断面図である。
【図３】この発明の一実施例を示し、システム概要の斜視図である。
【図４】この発明の使用例を示し、床下及び屋根裏の屋外排気口取付要領図である。
【図５】この発明の使用例を示し、平面図である。
【図６】この発明の使用例を示し、平面図である。
【図７】この発明の使用例を示し、平面図である。
【図８】この発明の使用例を示し、平面図である。
【符号の説明】
【００２０】
１  通風換気マルチシステム用ファン
１ａ  吐出口
１ｂ  吸込口
２  分岐チャンバー
２ａ  大径型接続口
２ｂ  小径型接続口
３  吸気用フレキダクト
４  吸気用フレキダクト
４’  吸気用フレキダクト
５  排気用フレキダクト
Ｍ  屋外排気口
【図１】
2005083598.tif 000003
【図２】
2005083598.tif 000004
【図３】
2005083598.tif 000005
【図４】
2005083598.tif 000006
【図５】
2005083598.tif 000007
【図６】
2005083598.tif 000008
【図７】
2005083598.tif 000009
【図８】
2005083598.tif 000010